(57)【要約】【課題】比較的簡単な構造で、賞球装置内、ひいては該賞球装置を備える遊技機内部に球を残すことなく、全ての球を抜く球抜きができるようにする。【解決手段】球抜きスライド３が図１１の位置では、羽根車４を回転させることで、排出経路Ｌ４へと賞球することができる。球抜きスライド３をスライドさせ、図１２の位置では羽根車４の対向部の該球抜きスライド３が底抜け状態になって、賞球装置内の球を球抜き経路Ｌ５へと排出し、球抜きができる。【選択図】図６
2008289534.tif 000002
【特許請求の範囲】
【請求項１】
賞球する球の経路を構成するための球経路部材と、賞球可能状態と球抜き状態を切り替える経路切替部材と、球を送り出す羽根車とから構成される賞球装置において、
賞球可能状態で前記球経路部材の一部となり、前記羽根車に球を保持させる部分を、前記経路切替部材の少なくとも一部で構成したことを特徴とする賞球装置。
【請求項２】
賞球可能状態で前記球経路部材の一部となる前記経路切替部材を、取付け取り外し可能な構造とし、
該一部経路切替部材が取付けられている際に、弾性変形によって軸を抱き込む作用をするロック爪を、該球経路部材側に設け、
該一部経路切替部材に、前記ロック爪によって抱き込まれる軸となる、ロックピンを設けたことを特徴とする請求項１に記載の賞球装置。
【請求項３】
請求項１又は２に記載の賞球装置を備えたことを特徴とする遊技機。
【発明の詳細な説明】
【技術分野】
【０００１】
本発明は、賞球する球の経路を構成するための球経路部材と、賞球可能状態と球抜き状態を切り替える経路切替部材と、球を送り出す羽根車とから構成される賞球装置、及び遊技機に係り、特に、比較的簡単な構造で、賞球装置内、ひいては該賞球装置を備える遊技機内部に球を残すことなく、全ての球を抜く球抜きができるようにすることができる賞球装置、及びこれを備えた遊技機に関する。
【背景技術】
【０００２】
従来のパチンコ遊技機の賞球装置において、球抜き機構は、経路切替部材を回動動作やスライド動作させることによって、賞球経路と球抜き経路とを切替えるようになっている。このような回動動作やスライド動作には、電気的に制御し駆動するものや、手動で行うものがある。
【０００３】
特許文献１には、賞球可能状態と球抜き状態を切り替える経路切替部材を賞球経路に設け、該切り替えを、該経路切替部材のスライド手動動作によって行なう賞球装置が公開されている。このスライド手動動作の際には、パチンコ機扉を開いて、賞球装置において、係合片を係合部から外さなければならないようになっており、これにより、不正な球抜き行為を防ぐようになっている。
【０００４】
【特許文献１】特開２００１−３２７７１１号公報
【発明の開示】
【発明が解決しようとする課題】
【０００５】
しかしながら、特許文献１では、球抜き状態に切り替える経路切替部材と、球送りを行う羽根車との間に球経路が存在する。該経路切替部材をスライド動作させて球抜き状態に切り替えると、該経路切替部材より上流側の球を抜くことができる。しかしながら、この球抜きを行っても、該経路切替部材より下流側、又、該経路切替部材と羽根車との間にある球を抜くことができず、球が機内に残ってしまうという問題がある。
【０００６】
又、遊技機の正面からの操作ができないため、球抜き動作をするために、遊技機のプラスチック枠ユニットなどの扉を開放し、操作しなければならない。扉を開放した状態で球抜きを行った場合、球抜きした球を直接パチンコホールの島設備に戻すことはできず、一度別の容器に回収してから島設備に戻すという作業になってしまい、作業性は非常に悪い。
【０００７】
本発明は、前記従来の問題点を解決するべくなされたもので、比較的簡単な構造で、賞球装置内、ひいては該賞球装置を備える遊技機内部に球を残すことなく、全ての球を抜く球抜きができるようにすることができる賞球装置及び遊技機を提供することを課題とする。
【課題を解決するための手段】
【０００８】
本発明は、賞球する球の経路を構成するための球経路部材と、賞球可能状態と球抜き状態を切り替える経路切替部材と、球を送り出す羽根車とから構成される賞球装置において、賞球可能状態で前記球経路部材の一部となり、前記羽根車に球を保持させる部分を、前記経路切替部材の少なくとも一部で構成したことにより、前記課題を解決したものである。
【０００９】
又、上記賞球装置において、賞球可能状態で前記球経路部材の一部となる前記経路切替部材を、取付け取り外し可能な構造とし、該一部経路切替部材が取付けられている際に、弾性変形によって軸を抱き込む作用をするロック爪を、該球経路部材側に設け、該一部経路切替部材に、前記ロック爪によって抱き込まれる軸となる、ロックピンを設けたことにより、前記課題を解決したものである。
【００１０】
本発明は、又、上記の賞球装置を備えた遊技機を提供するものである。
【発明の効果】
【００１１】
本発明によれば、手動操作による球抜き機構を備える賞球装置において、該賞球装置を用いる遊技機の内部に球を残すことなく、全ての球を抜くことができる。又、一方向に押し込むという手動操作によって、賞球可能状態から球抜き状態へ切り替える構造を、少ない部品点数で構成することができる。
【発明を実施するための最良の形態】
【００１２】
以下、図を用いて本発明の実施の形態を詳細に説明する。
【００１３】
図１は、本発明が適用された実施形態の遊技機１００の正面図である。又、図２は、該遊技機１００の本体枠の裏面図である。
【００１４】
本実施形態は、遊技球を用いる遊技機として、パロットを一例としている。しかしながら、本願発明の賞球装置は、このような遊技機に限定されるものではない。まず、図１において、受け皿１１０は、遊技者が自由に遊技球を出し入れできるようになっている。該受け皿１１０に入れられた遊技球は、ベットボタン１１４を遊技者が押すと、球搬送装置によって遊技機１００内部に取込まれる。
【００１５】
そして、スタートレバー１１６を操作すると、幾つかの絵柄がそれぞれ書き込まれたリール１１２ａ、１１２ｂ、１１２ｃが回転し、それぞれ絵柄が入れ替わっていく。又、これらリール１１２ａ、１１２ｂ、１１２ｃそれぞれに対応させて設けられている停止スイッチ１１８ａ、１１８ｂ、１１８ｃを押すと、該当のリール１１２ａ、１１２ｂ、１１２ｃの回転が停止し、その絵柄の入れ替わりが停止する。すべてのリール１１２ａ、１１２ｂ、１１２ｃが停止すると、これらリール１１２ａ、１１２ｂ、１１２ｃの絵柄の組み合わせに応じて、受け皿１１０には賞球の遊技球が払い出される。なお、図２に示されるリール装置１４０は、前述のリール１１２ａ、１１２ｂ、１１２ｃを内蔵するものである。
【００１６】
ここで、図２に示されるように、上部の球タンク１３３には、いわゆる島設備から遊技球が供給されている。賞球装置１３５は、賞球経路１３４を経由して供給される、球タンク１３３に蓄えられている遊技球を、賞球として受け皿１１０に払い出し、遊技者に払い出す。
【００１７】
又、上述の球搬送装置は、遊技球供給経路１２２と、揚送装置１２５と、遊技球取込み経路１２７と、取込機構装置１３０とを有している。遊技球供給経路１２２において、揚送装置１２５側には、入口遊技球センサ１２３が設けられている。遊技球取込み経路１２７において、揚送装置１２５側には、取込経路遊技球センサ１２８が設けられている。
【００１８】
受け皿１１０に入れられている遊技球は、球供給経路１２２内を転がり、揚送装置１２５下端の搬入口に導かれる。この搬入口の直前に設けられる入口遊技球センサ１２３によって、揚送装置１２５が揚送する対象になる遊技球の有無が検出される。揚送装置１２５は、該搬入口から遊技球を順次取り込み、又揚送し、その上部の搬出口から遊技球取込み経路１２７へと該揚送の遊技球を繰り出す。
【００１９】
このような揚送及び繰り出しは、遊技球取込み経路１２７内に所定数の遊技球が満たされたことが、取込経路遊技球センサ１２８によって検知されるまで行なわれる。そして、遊技球取込み経路１２７内の遊技球は、前述のように、ベットボタン１１４の遊技者の操作に応じ、取込機構装置１３０によって遊技機１００内部に取込まれる。
【００２０】
次に、図３は、本実施形態に用いる賞球装置１３５の正面側から見た斜視図である。図４は、該賞球装置１３５の裏側から見た斜視図である。図５は、該賞球装置１３５の分解図である。そして、図６は、賞球ベース１を取り外した状態における、該賞球装置１３５の正面図である。
【００２１】
以下の説明では、図６を基準として、左右・上下及び前後を表現することとする。図６の紙面の垂直方向を前後方向とし、紙面の手前側を前側とする。該図６では、左右・上下及び前後は、図示される賞球装置１３５を遊技機１００に取り付けた状態で、遊技者から見たものと同じになる。
【００２２】
これら図３〜図６に示されるように、カバー１２を賞球ベース１に、図示されないねじによりねじ止めすることによって、これら賞球ベース１及びカバー１２は、筐体構造になる。又、ミドル経路２は、前面・背面の両面に位置決めピンが各２ヶ所あり、前面側には賞球ベース１が、背面側にはモータベース７がそれぞれ位置決めされている。
【００２３】
このような筐体構造の内部において、前後方向は、カバー１２を前述のようにねじ止めすることにより、各部材は固定され規制される。球抜きスライド３は、ガイドレール右３ｅ及びガイドレール左３ｆが、ミドル経路２のガイド溝右２ａ及びガイド溝左２ｂにより左右・上下が位置決めされ、又、前後方向にはスライド可能である。前後方向のスライド量は、賞球ベース１とモータベース７にそれぞれ球抜きスライド３のストッパ面を設けることで設定されている。
【００２４】
更に、該筐体構造の内部において、球を送り出す羽根車４の回転軸となる羽根車軸６は、賞球ベース１に回転を規制される構造で固定され、羽根車４は、羽根車ギヤ８と一体で羽根車軸６を中心に回転可能である。モータギヤ１０は、モータ９の回転軸に、これと一体で回転できるように固定されている。モータ９は、羽根車ギヤ８とモータギヤ１０が噛み合うように、モータベース７のピン２ヶ所で位置決めされ、該モータベース７に取り付けられている。
【００２５】
なお、モータ９の駆動その他、本実施形態の賞球装置１３５の制御は、主として、払出制御基板１３６に構成される制御回路によって行なわれている。賞球装置制御基板１１には、羽根車ギヤ８の回転位置を検出することで、羽根車４の回転位置を検出するためのセンサが設けられている。羽根車ギヤ８には該検出のためのマークが付され、又、賞球装置１３５が組み上げられると、該センサは、該マークを読取り可能な位置に配置されることになる。
【００２６】
次に、図７は、該賞球ベース１を取り付けた状態における、該賞球装置１３５の正面図である。そして、図８は、該図７におけるＺ−Ｚ断面の断面図である。図９は、賞球ベース１を取り外して、球抜きスライドを手動操作可能な状態における、該賞球装置１３５の正面側から見た斜視図である。
【００２７】
本実施例では、これらの図に示すように『前経路Ｌ１』、『後経路Ｌ２』、『合流経路Ｌ３』、『排出経路Ｌ４』、及び、球抜きした球を誘導する『球抜き経路Ｌ５』が、賞球ベース１、ミドル経路２、球抜きスライド３、モータベース７により構成されている。又、前経路Ｌ１及び後経路Ｌ２は、ミドル経路２及び球抜きスライド３を本発明の球経路部材とし、形成されるものである。本発明の経路切替部材は、本実施形態では、球抜きスライド３となっている。
【００２８】
そして、図１０は、続く図１１及び図１２の断面位置を示すための、本実施形態の賞球装置１３５の正面図である。又、図１１は、球抜きスライド３が賞球可能状態のスライド位置にある時の該賞球装置１３５の、上記図１０におけるＺ−Ｚ断面を示す断面図である。そして、図１２は、球抜きスライド３が球抜き状態のスライド位置にある時の該賞球装置１３５の、該図１０におけるＺ−Ｚ断面を示す断面図である。
【００２９】
本実施形態では、球抜きスライド３をスライドさせ、該球抜きスライド３のスライド位置により、図１１に示すような『賞球可能状態』と、図１２に示すような『球抜き状態』とを切り替える。
【００３０】
図１３及び図１４は、それぞれ正面側あるいは裏面側から見た、該球抜きスライド３の斜視図である。図１５及び図１６は、それぞれ正面側あるいは裏面側から見た、該球抜きスライド３が取り付けられるミドル経路２の斜視図である。
【００３１】
賞球可能状態と球抜き状態とを切り替えるべく、球抜きスライド３をスライドさせる。すると、図１３及び図１４に示す球抜きスライド３の前経路底板３ａの、図１５及び図１６に示すミドル経路２の内部における前経路に対する位置が切り替えられ、又、該球抜きスライド３の後経路底板３ｂの、該ミドル経路２の内部における後経路に対する位置が切り替えられ、これによって、賞球可能状態と球抜き状態とが切り替えられる。
【００３２】
まず、『賞球可能状態』について説明する。
【００３３】
賞球可能状態は、球抜きスライド３が前方に寄せられ、球抜きスライド３が賞球ベース１のストッパに接している状態であり、図１１に示す位置である。又、この賞球可能状態では、図１３に示す球抜きスライド３の前経路底板３ａ及び後経路底板３ｂの中心が、それぞれ前経路及び後経路の中心と一致しているため、羽根車４との間に球を保持することができる。
【００３４】
次に、図１７は、続く図１８及び図１９の断面位置を示すための、本実施形態の賞球装置１３５の正面図である。又、図１８は、球抜きスライド３が賞球可能状態のスライド位置にある時の該賞球装置１３５の、上記図１７におけるＺ−Ｚ断面を示す断面図である。そして、図１９は、球抜きスライド３が球抜き状態のスライド位置にある時の該賞球装置１３５の、該図１７におけるＺ−Ｚ断面を示す断面図である。
【００３５】
賞球可能状態の時、図１８に示すように、球抜きスライド３のロックピン３ｃが賞球ベース１のロック爪１ａの『４つ又形状』の爪を押し広げ、ロック爪１ａがロックピン３ｃを抱き込むように弾性力が発生する。この弾性力により、ロックピン３ｃがロックされ、球抜きスライド３の前後位置が固定される。
【００３６】
この賞球可能状態の時には、モータ９を駆動することにより、羽根車４を回転させ、前経路から、又、後経路から、前述の合流経路Ｌ３を経て排出経路Ｌ４へと、賞球を排出することができる。このように排出される賞球は、前経路のものも、後経路のものも、合流経路Ｌ３を通過する際に、球通過センサ５によって１つずつカウントされることになる。
【００３７】
ここで、図２０及び図２１は、それぞれ正面側あるいは裏面側から見た、ミドル経路に取り付けられた該球抜きスライドの周辺に配置される羽根車の斜視図である。
【００３８】
羽根車４は、図２０及び図２１に示すように、回転位置が互いにずらされた２つの羽４ａ及び羽４ｂを備えている。これら羽４ａ及び羽４ｂは、２列経路の球を等間隔にタイミングをずらして送り出すために、９０°位相がずれている。従って、賞球は、前経路からと、後経路からとで、交互に１つずつ行なうことになる。即ち、羽根車４を９０°回転させる毎に、賞球を１つずつ行なうことができる。
【００３９】
図２２は、賞球装置１３５において球を送り出していない待機状態における羽根車の回転停止位置を示す、賞球装置１３５の正面側経路を示す断面図である。又、図２３は、該回転停止位置を示す、賞球装置１３５の裏面側経路を示す断面図である。
【００４０】
羽根車４の回転を停止させて賞球を停止している待機状態では、羽根車４の回転の停止位置は、図２２及び図２３に示す位置になる。この待機状態では、前経路の球は、球抜きスライド３上面に形成された前経路底板３ａ、及び羽根車４により挟まれ、保持される。後経路の球は、球抜きスライド３上面に形成された後経路底板３ｂ、及び羽根車４により挟まれ、保持される。
【００４１】
次に、『球抜き状態』について説明する。
【００４２】
該球抜きスライド３をスライドさせて球抜き状態に切り替えると、図１２に示すように、前経路底板３ａは前経路から外れ、後経路底板３ｂは後経路から外れた位置となり、前経路及び後経路は底が抜けた状態となる。
【００４３】
賞球可能状態では、前述のように球抜きスライド３のロックピン３ｃが賞球ベース１のロック爪１ａの弾性力によりロックされているので、該ロックの解除を行なって、球抜き状態とするには、図１８において矢印で示す方向に、即ち図中左から右の方向に、遊技機１００の前面側からロックピン３ｃを背面側へ押し込む。このように押し込むことで、ロックピン３ｃは、図１９のような状態になる。
【００４４】
一般的に球抜き作業は、前枠の正面側に形成された操作孔から操作杵（φ２程度の針金に摘みを付けたようなもの）を挿入して行われるが、本実施例もそのような作業を想定している。前面側からロックピン３ｃを操作杵などにより背面側へ押し込むとロック爪１ａのロックが解除され、球抜きスライド３は背面側へとスライドし、モータベース7のストッパ面に突き当たる。
【００４５】
このようにして球抜き状態となると、図１２に示すような状態になる。この図１２に示されるように、球抜きスライド３の前経路底板３ａ及び後経路底板３ｂが、それぞれ前経路及び後経路からずれて、前経路及び後経路は底が抜けた状態となり、球抜きスライド３の下側に設けられた球抜き経路Ｌ５と連通され、これが『球抜き状態』となる。いわば、前経路においても後経路においても、羽根車４に対向する部位が、底が抜けた状態となる。このように、球抜き状態で球抜きスライド３がスライドされると、球の直径１１ｍｍに対して十分大きなスペースを持った、球抜き経路Ｌ５が構成されることになる。
【００４６】
このように球抜き経路Ｌ５に連通することで、羽根車４と球抜きスライド３とで保持されていた球は、自重により該球抜き経路Ｌ５へ流れるため、全ての球を球抜き経路へ誘導することができる。
【００４７】
ここで、前述のように、羽根車４の回転が待機状態で、前述のように羽根車４により挟み、保持される球の位置についても、前経路も後経路も、底が抜けた状態となる。従って、球抜き状態では、賞球装置１３５内にある球は、すべて球抜き経路Ｌ５へと排出され、これにより、遊技機１００内のすべての球は島設備へと排出することができる。
【００４８】
なお、球抜き状態で連続的に球が球抜き経路Ｌ５へと排出されると、賞球装置１３５内を流れる球に勢いが生じる場合がある。球抜き状態で、球抜きスライド３をスライドさせて底が抜けた状態として形成される、前経路及び後経路から球抜き経路Ｌ５への連通部位は、このような球の勢いがあっても、飛び越えて排出経路Ｌ４側に球が行ってしまうことがないような、十分の大きさになっている。
【００４９】
なお、このような球抜き状態から、再度、賞球可能状態に戻すためには、図１９において矢印で示される方向に、即ち、図中右から左の方向に、球抜きスライド３の最背面に位置するプッシュピン３ｄを押し込んで、球抜きスライド３をロックさせる。このように押し込んでロックすると、ロックピン３ｃは、図１８に示すようになる。
【００５０】
以上に説明したように、本実施形態では、球抜きスライド３のスライドによって、賞球可能状態及び球抜き状態を切り替えることができる。又、球抜き状態では、賞球装置１３５内にある球も球抜き経路Ｌ５へ排出することができ、島設備に排出することができる。
【図面の簡単な説明】
【００５１】
【図１】本発明が適用された実施形態の遊技機の正面図
【図２】上記遊技機の本体枠の裏面図
【図３】前記実施形態に用いる賞球装置の正面側から見た斜視図
【図４】上記賞球装置の裏側から見た斜視図
【図５】前記賞球装置の分解図
【図６】賞球ベースを取り外した状態における、前記賞球装置の正面図
【図７】上記賞球ベースを取り付けた状態における、上記賞球装置の正面図
【図８】上記図７におけるＺ−Ｚ断面の断面図
【図９】賞球ベースを取り外して、球抜きスライドを手動操作可能な状態における、前記賞球装置の正面側から見た斜視図
【図１０】前記実施形態の賞球装置の正面図
【図１１】球抜きスライドが賞球可能状態のスライド位置にある時の上記賞球装置の断面図
【図１２】球抜きスライドが球抜き状態のスライド位置にある時の前記賞球装置の断面図
【図１３】前記実施形態の球抜きスライドの正面側から見た斜視図
【図１４】上記球抜きスライドの裏面側から見た斜視図
【図１５】前記実施形態のミドル経路の正面側から見た斜視図
【図１６】上記ミドル経路の裏面側から見た斜視図
【図１７】前記実施形態の賞球装置の正面図
【図１８】前記球抜きスライドが賞球可能状態のスライド位置にある時の上記賞球装置のロックピンの断面図
【図１９】前記球抜きスライドが球抜き状態のスライド位置にある時の上記ロックピンの断面図
【図２０】前記実施形態の羽根車の正面側から見た斜視図
【図２１】上記羽根車の裏面側から見た斜視図
【図２２】前記賞球装置において球を送り出していない待機状態における羽根車の回転停止位置を示す、該賞球装置の正面側経路を示す断面図
【図２３】該回転停止位置を示す、該賞球装置の裏面側経路を示す断面図
【符号の説明】
【００５２】
１…賞球ベース
２…ミドル経路
３…球抜きスライド
４…羽根車
５…球通過センサ
６…羽根車軸
７…モータベース
８…羽根車ギヤ
９…モータ
１０…モータギヤ
１１…賞球装置制御基板
１２…カバー
Ｌ１…前経路
Ｌ２…後経路
Ｌ３…合流経路
Ｌ４…排出経路
Ｌ５…球抜き経路
１００…遊技機
１１０…受け皿
１１２ａ、１１２ｂ、１１２ｃ…リール
１１４…ベットボタン
１１６…スタートレバー
１１８ａ、１１８ｂ、１１８ｃ…停止スイッチ
１２２…遊技球供給経路
１２３…入口遊技球センサ
１２５…揚送装置
１２７…遊技球取込み経路
１２８…取込経路遊技球センサ
１３０…取込機構装置
１３３…球タンク
１３４…賞球経路
１３５…賞球装置
【図１】
2008289534.tif 000003
【図２】
2008289534.tif 000004
【図３】
2008289534.tif 000005
【図４】
2008289534.tif 000006
【図５】
2008289534.tif 000007
【図６】
2008289534.tif 000008
【図７】
2008289534.tif 000009
【図８】
2008289534.tif 000010
【図９】
2008289534.tif 000011
【図１０】
2008289534.tif 000012
【図１１】
2008289534.tif 000013
【図１２】
2008289534.tif 000014
【図１３】
2008289534.tif 000015
【図１４】
2008289534.tif 000016
【図１５】
2008289534.tif 000017
【図１６】
2008289534.tif 000018
【図１７】
2008289534.tif 000019
【図１８】
2008289534.tif 000020
【図１９】
2008289534.tif 000021
【図２０】
2008289534.tif 000022
【図２１】
2008289534.tif 000023
【図２２】
2008289534.tif 000024
【図２３】
2008289534.tif 000025